(57)【特許請求の範囲】
【請求項１】
遊技領域を流下する玉が入賞可能な入賞部と、
前記入賞部に玉が入賞した場合に特別遊技状態を発生させるか否かの抽選を実行する抽選手段と、
前記抽選手段による抽選結果が前記特別遊技状態としての第１特別遊技状態の発生に対応している場合に前記第１特別遊技状態を発生させるとともに、前記抽選手段による抽選結果が前記特別遊技状態としての第２特別遊技状態の発生に対応している場合に前記第２特別遊技状態を発生させる状態発生手段と、
前記遊技領域を流下する玉が入賞可能な開放状態と、前記開放状態よりも玉が入賞しにくい閉鎖状態とに切替可能な特別入賞部と、
前記特別入賞部に玉が入賞した場合に、玉を遊技者に付与する付与手段と、
前記第１特別遊技状態において予め定められた共通態様にて前記開放状態と前記閉鎖状態との切替を行うよう前記特別入賞部の切替制御を実行するとともに、前記第２特別遊技状態において前記共通態様にて前記特別入賞部の切替制御を実行した後に、予め定められた特別態様にて前記開放状態と前記閉鎖状態との切替を行うよう前記特別入賞部の切替制御を実行する切替制御手段と、
前記第２特別遊技状態において前記共通態様及び前記特別態様にて前記特別入賞部の切替制御が実行された後に当該第２特別遊技状態を終了させるとともに、前記第１特別遊技状態において前記共通態様にて前記特別入賞部の切替制御が実行されたことに基づいてその共通態様の後に前記特別態様にて前記特別入賞部の切替制御が実行されることがないように当該第１特別遊技状態を終了させる状態終了手段と、
前記第１特別遊技状態及び前記第２特別遊技状態のそれぞれにおいて、前記共通態様にて前記特別入賞部の切替制御が実行されている場合に、各特別遊技状態のいずれにおいても共通した共通演出を実行するとともに、前記第２特別遊技状態の場合、前記共通演出を実行した後に前記第２特別遊技状態であることを遊技者に報知する演出を実行する演出実行手段と、
前記状態発生手段により前記第２特別遊技状態が発生させられた場合に当該第２特別遊技状態の発生に対応した信号を出力する出力手段と、を備え、前記状態発生手段により前記第１特別遊技状態が発生させられた場合に前記信号を出力しないパチンコ遊技機に対応し、当該パチンコ遊技機とは別の装置として設けられ、
前記状態発生手段により前記第２特別遊技状態が発生させられている場合に予め定められた特別報知を実行する報知手段と、
前記第１特別遊技状態において前記特別報知を前記報知手段にて実行させないとともに、前記出力手段より前記第２特別遊技状態の発生に対応した信号を受信した場合、前記第２特別遊技状態において前記共通態様にて前記特別入賞部の切替制御の実行が終了するまで又は前記演出実行手段にて前記共通演出の実行が終了するまで、前記報知手段にて前記特別報知を開始させるタイミングを遅延する報知制御手段と、
を備えたことを特徴とする遊技情報表示装置。
【請求項２】
前記特別遊技状態は、前記切替制御手段により前記特別入賞部の切替制御が予め定められた態様で実行された後に、前記切替制御手段により前記特別入賞部が前記閉鎖状態に切替えられることを１回のラウンドとして、前記ラウンドが複数回実行されることで終了するものであり、さらに、前記第１特別遊技状態及び前記第２特別遊技状態のそれぞれは、前記共通態様として、同数のラウンド数が設定されている遊技機に対応して設けられていることを特徴とする請求項１記載の遊技情報表示装置。
【発明の詳細な説明】
【技術分野】
【０００１】
本発明は、大当たりなどの特別遊技状態に関する情報を表示する遊技情報表示装置に関する。
【背景技術】
【０００２】
パチンコ遊技機では、特別遊技状態としての遊技者に有利な大当たりを発生させるか否かの抽選が行われる。大当たりが発生すると、特別入賞部としての大入賞口が開放される。大入賞口に玉が入賞することで、遊技者に玉が付与される。また、遊技内容に関する遊技情報を表示する遊技情報表示装置が、パチンコ遊技機ごとに設置されている。遊技情報表示装置にて、大当たりが発生した回数が表示されたり、大当たりが発生していることに応じた大当たり演出が実行されたりする。
【先行技術文献】
【特許文献】
【０００３】
【特許文献１】特開２００８−０００３６８号公報
【発明の概要】
【発明が解決しようとする課題】
【０００４】
近年、パチンコ遊技機によっては、大当たりよりも相対的に遊技者に不利な特別遊技状態として小当たりが設定されている。小当たりが発生した場合には大当たりが発生した場合と同様に大入賞口が開放されるが、大入賞口が開放される１回の時間が大当たりよりも相対的に短かったり、大入賞口が開放される回数が大当たりよりも相対的に少なかったりする。小当たりが設定されていることで、大入賞口が開放された場合にその開放が小当たりに基づくものであるか、又は大当たりに基づくものであるかを遊技者に予測させることができる（例えば特許文献１）。
ここで、小当たりは上記大当たりとは異なるものであり、小当たりが発生したとしても、遊技情報表示装置にて、大当たりが発生した回数が加算されなかったり、大当たり演出が実行されなかったりすることが想定される。
【０００５】
しかしながら、このような構成においては、大入賞口が開放された場合に、遊技情報表示装置にて大当たり演出が実行されているか否かによって、その大入賞口の開放が大当たりに基づくものか、又は小当たりに基づくものかを遊技者が理解するおそれがある。従って、大当たり等の特別遊技状態に関する表示を実行する上で、遊技情報表示装置は未だ改善の余地がある。
本発明は上記事情に鑑みてなされたもので、その目的は、特別遊技状態に関する表示を良好に実行可能な遊技情報表示装置を提供することにある。
【課題を解決するための手段】
【０００６】
請求項１に記載した発明は、遊技領域を流下する玉が入賞可能な入賞部と、前記入賞部に玉が入賞した場合に特別遊技状態を発生させるか否かの抽選を実行する抽選手段と、前記抽選手段による抽選結果が前記特別遊技状態としての第１特別遊技状態の発生に対応している場合に前記第１特別遊技状態を発生させるとともに、前記抽選手段による抽選結果が前記特別遊技状態としての第２特別遊技状態の発生に対応している場合に前記第２特別遊技状態を発生させる状態発生手段と、前記遊技領域を流下する玉が入賞可能な開放状態と、前記開放状態よりも玉が入賞しにくい閉鎖状態とに切替可能な特別入賞部と、前記特別入賞部に玉が入賞した場合に、玉を遊技者に付与する付与手段と、前記第１特別遊技状態において予め定められた共通態様にて前記開放状態と前記閉鎖状態との切替を行うよう前記特別入賞部の切替制御を実行するとともに、前記第２特別遊技状態において前記共通態様にて前記特別入賞部の切替制御を実行した後に、予め定められた特別態様にて前記開放状態と前記閉鎖状態との切替を行うよう前記特別入賞部の切替制御を実行する切替制御手段と、前記第２特別遊技状態において前記共通態様及び前記特別態様にて前記特別入賞部の切替制御が実行された後に当該第２特別遊技状態を終了させるとともに、前記第１特別遊技状態において前記共通態様にて前記特別入賞部の切替制御が実行されたことに基づいてその共通態様の後に前記特別態様にて前記特別入賞部の切替制御が実行されることがないように当該第１特別遊技状態を終了させる状態終了手段と、前記第１特別遊技状態及び前記第２特別遊技状態のそれぞれにおいて、前記共通態様にて前記特別入賞部の切替制御が実行されている場合に、各特別遊技状態のいずれにおいても共通した共通演出を実行するとともに、前記第２特別遊技状態の場合、前記共通演出を実行した後に前記第２特別遊技状態であることを遊技者に報知する演出を実行する演出実行手段と、前記状態発生手段により前記第２特別遊技状態が発生させられた場合に当該第２特別遊技状態の発生に対応した信号を出力する出力手段と、を備え、前記状態発生手段により前記第１特別遊技状態が発生させられた場合に前記信号を出力しないパチンコ遊技機に対応し、当該パチンコ遊技機とは別の装置として設けられ、前記状態発生手段により前記第２特別遊技状態が発生させられている場合に予め定められた特別報知を実行する報知手段と、前記第１特別遊技状態において前記特別報知を前記報知手段にて実行させないとともに、前記出力手段より前記第２特別遊技状態の発生に対応した信号を受信した場合、前記第２特別遊技状態において前記共通態様にて前記特別入賞部の切替制御の実行が終了するまで又は前記演出実行手段にて前記共通演出の実行が終了するまで、前記報知手段にて前記特別報知を開始させるタイミングを遅延する報知制御手段と、を備えたことを特徴とする。
【０００７】
請求項２に記載した発明は、前記特別遊技状態は、前記切替制御手段により前記特別入賞部の切替制御が予め定められた態様で実行された後に、前記切替制御手段により前記特別入賞部が前記閉鎖状態に切替えられることを１回のラウンドとして、前記ラウンドが複数回実行されることで終了するものであり、さらに、前記第１特別遊技状態及び前記第２特別遊技状態のそれぞれは、前記共通態様として、同数のラウンド数が設定されている遊技機に対応して設けられていることを特徴とする。
【発明の効果】
【０００８】
請求項１に記載した発明によれば、第１特別遊技状態においては特別報知を開始させず、第２特別遊技状態において共通態様にて特別入賞部の切替制御が実行された後又は演出実行手段にて共通演出が実行された後に特別報知を開始させるので、特別遊技状態が発生したタイミングでその特別遊技状態が第１特別遊技状態及び第２特別遊技状態のいずれであるかが遊技情報表示装置の表示態様から遊技者に特定されることが抑制される。つまり、共通演出が実行されている場合や共通態様にて開閉制御が実行されている場合には、演出内容や特別入賞部の開閉態様からいずれの特別遊技状態であるかが遊技者に特定されることを抑制でき、特別遊技状態に関する表示を良好に実行することができる。
【０００９】
また、遊技機から第２特別遊技状態の発生に対応した信号が入力され、かつ、第２特別遊技状態において共通態様にて特別入賞部の切替制御が実行された後又は演出実行手段にて共通演出が実行された後に特別報知を実行させるので、第１特別状態ではなく、第２特別状態が発生したことを確実に特定することができる。即ち、第２特別状態の発生に対応した信号を入力しているとしても、共通演出が終了するまで特別報知の実行タイミングを遅らせることが可能となる。
請求項２に記載した発明によれば、ラウンドが複数回実行されることで終了する特別遊技状態が設定されており、それぞれの特別遊技状態が共通態様として同数のラウンド数が設定されている場合であっても、いずれの特別遊技状態が発生したのかを遊技者に早期に特定されてしまうことを防止することができる。
【図面の簡単な説明】
【００１０】
【図１】本発明の一実施形態による呼出ランプを備えた遊技場用システムの概略を示す全体構成図
【図２】パチンコ遊技機の正面図
【図３】パチンコ遊技機の電気的構成を示す機能ブロック図
【図４】パチンコ遊技機に設けられている遊技状態を示す状態遷移図
【図５】パチンコ遊技機に設けられている大当たり種別を示す図
【図６】呼出ランプの表示装置の画面例を示す図で、（ａ）は通常時画面を示す図、（ｂ）は大当たり演出時画面を示す図
【図７】パチンコ遊技機から出力される遊技信号及び大当たり演出のタイミングを示す図
【図８】パチンコ遊技機の液晶表示装置に表示される特別演出を示す図で、（ａ）は共通の特別演出を示す図、（ｂ）は大当たり用の特別演出を示す図、（ｃ）は小当たり用の特別演出を示す図
【図９】パチンコ遊技機による大当たり信号出力処理を示すフローチャート
【図１０】パチンコ遊技機による大入賞口開放処理を示すフローチャート
【図１１】パチンコ遊技機による大入賞口閉鎖処理を示すフローチャート
【図１２】パチンコ遊技機による大当たり中表示処理を示すフローチャート
【図１３】呼出ランプによる大当たり処理を示すフローチャート
【発明を実施するための形態】
【００１１】
以下、本発明の一実施形態について図面を参照して説明する。
図１は、本発明による遊技情報表示装置を適用した遊技場用システム１の全体構成を示している。遊技場用システム１は、パチンコ遊技機２、各パチンコ遊技機２に対応して設けられている貸出装置３及び遊技情報表示装置としての呼出ランプ４、図示しない管理室などに設けられている管理装置５等から構成されている。貸出装置３は、硬貨投入口３ａに硬貨が投入された状態、或いは固有のＩＤが記録されたプリペイドカードがカード挿入口３ｂに挿入されて払出釦３ｃが押下られた状態で、特定された有価価値に基づき貸玉を払出口３ｄからパチンコ遊技機２に払い出す。また、パチンコ玉の払い出しに伴って、売上信号を呼出ランプ４に送信する。貸出装置３の情報表示部３ｅでは貸出情報や対応するパチンコ遊技機２に関する各種の遊技情報等も表示可能である。呼出ランプ４は、詳細は後述するがパチンコ遊技機２及び貸出装置３と管理装置５とを間のデータを中継する中継手段として機能するとともに、各種の情報を表示装置６（報知手段に相当する）に表示する。管理装置５は、パチンコ遊技機２側から出力される各種の遊技信号に基づいて、大当たり確率や売上げなどの各種のデータを集計及び記憶する。
【００１２】
図２は、パチンコ遊技機２の正面図である。パチンコ遊技機２は、遊技者によるハンドル装置１０の操作に応じて発射装置１１からパチンコ玉を盤面１２（遊技領域に相当する）に発射する。盤面１２に発射されたパチンコ玉が複数設けられている入賞口に入賞すると、入賞した入賞口に対応する数のパチンコ玉が払い出しされる（遊技者へ付与される）。盤面１２の中央には液晶表示装置１３（演出実行手段に相当する）が設けられており、発射されたパチンコ玉が液晶表示装置１３の下方に設けられている始動口１４（入賞部に相当する）に入賞すると、後述する抽選が行われ、液晶表示装置１３に表示されている図柄（特図）が変動する。液晶表示装置１３において所定時間の変動後に停止した図柄が大当たり図柄の場合には特別遊技状態に相当する大当たりが発生し、大入賞口１５（特別入賞部に相当する）が所定の終了条件が成立するまで開閉する。尚、本実施形態では、液晶表示装置１３には１〜９の数字が３列に表示され、基本的には、その３列に同じ数字が停止表示されたときに大当たりが発生する。
【００１３】
パチンコ遊技機２の場合、上記した抽選の起因となる所謂保留玉の上限は４個であり、図柄変動中に再度始動口１４にパチンコ玉が入賞した場合は上限まで保留し、図柄変動終了後に順次保留した図柄変動を実行する。このとき、液晶表示装置１３下部の特図保留表示部１６に保留玉数を表示する。また、盤面１２の図示右方には、例えば７セグメントＬＥＤなどで構成され、始動口１４への入賞に応じて実行される抽選の結果を示す特図表示部１７が設けられている。盤面１２の図示左方には、ゲート１８、例えばＬＥＤで構成された普図表示部１９及び普図保留表示部２０が設けられている。盤面１２に発射されたパチンコ玉がゲート１８を通過すると、始動口１４に対応して設けられている電チュー２１を開放するか否かの普図抽選が実行され、その抽選結果が普図表示部１９に表示される。この電チュー２１は、開放状態では始動口１４へのパチンコ玉の流入を促す一方、閉鎖状態では始動口１４へのパチンコ玉の流入を阻害する。また、パチンコ遊技機２は、上記した普図抽選に対する所謂保留玉の上限は２個であり、普図抽選中に再度ゲート１８をパチンコ玉が通過した場合は上限まで保留し、普図抽選の終了後に順次保留した普図抽選を実行する。このとき、普図保留表示部２０に普図保留玉数を表示する。また、パチンコ遊技機２には、各種の演出を実行するための装飾ランプ２２及びスピーカ２３、及び、詳細は後述するが演出ボタン２４が設けられている。
【００１４】
図３は、パチンコ遊技機２の電気的構成を示す機能ブロック図である。パチンコ遊技機２の主制御回路３０（抽選手段、状態発生手段、付与手段、切替制御手段、状態終了手段に相当する）は、ＣＰＵ、ＲＯＭ、ＲＡＭ、信号を送受信するためのインターフェースからなるＩ／Ｏなどを備えたマイクロコンピュータにより構成され、電源回路３１から電源が供給されている。主制御回路３０は、ゲート通過検出器３２、始動入賞検出器３３、大入賞検出器３４などから入力される信号に基づいて、パチンコ遊技機２全体を制御している。遊技者がハンドル装置１０を操作すると、その操作情報が入力された発射制御回路３５によって発射装置１１が駆動され、盤面１２にパチンコ玉が発射される。
盤面１２に発射されたパチンコ玉は、盤面１２を流下した後、例えばゲート１８を通過する。このとき、ゲート通過検出器３２は、ゲート１８を通過するパチンコ玉を検出し、パチンコ玉がゲート１８を通過する毎に信号を主制御回路３０に出力する。主制御回路３０は、ゲート通過検出器３２から信号を受信すると、乱数発生部３６で発生した乱数の１つを乱数抽出部３７で抽出することにより普図抽選を実行する。この普図抽選において普図当選になると、電チューソレノイド３８が駆動され、電チュー２１が開放する。また、パチンコ玉のゲート１８の通過に応じて、普図表示部１９や普図保留表示部２０のＬＥＤを点灯或いは消灯させる。
【００１５】
普図抽選では、パチンコ遊技機２の遊技状態によって当選確率などが変化する。具体的には、パチンコ遊技機２には後述する通常状態や時短状態などの複数の遊技状態が設けられており、この通常状態及び時短状態において普図当選となる確率である普図当選確率は１／１．３に設定されている。普図抽選に要する時間即ち普図表示部１９において変動表示が行われる普図変動時間は、通常状態では３０秒、時短状態では１秒に設定されている。そして、普図抽選において普図当選となった場合には、電チュー２１は、通常状態では０．２秒、時短状態では１．５秒×３回の間開放される。つまり、時短状態では、電チュー２１の開放時間が長く、その回数も増えるため、始動口１４への入賞が通常状態よりも促されることになる。
また、盤面１２に発射されたパチンコ玉は、盤面１２を流下した後、例えば始動口１４に入賞する。始動入賞検出器３３は、始動口１４に入賞したパチンコ玉を検出し、パチンコ玉が入賞する毎に信号を主制御回路３０に出力する。主制御回路３０は、始動入賞検出器３３から信号を受信すると、乱数発生部３６で発生した乱数の１つを乱数抽出部３７で抽出することにより特図抽選を実行する。尚、本実施形態では特図抽選と上記した普図抽選とで同じ乱数発生部３６及び乱数抽出部３７を共用しているが、それぞれ別の乱数発生部３６及び乱数抽出部３７を設ける構成としてもよい。
【００１６】
主制御回路３０は、特図抽選を実行した後、液晶表示装置１３に表示されている図柄の変動を開始する。この特図抽選には特別遊技状態である小当たり及び大当たり、又はハズレの何れかの抽選結果が設定されている。小当たり又は大当たりになると、大入賞ソレノイド３９が駆動され、大入賞口１５の開放状態と閉鎖状態との切替制御が実行される。即ち、主制御回路３０は、大入賞ソレノイド３９を駆動することにより、大入賞口１５を、盤面１２を流下するパチンコ玉が入賞可能な開放状態と開放状態よりもパチンコ玉が入賞しにくい閉鎖状態とに切り替える切替制御を実行している。大入賞口１５は、小当たりでは１ラウンド（１Ｒ）、大当たりでは１５ラウンド（１５Ｒ）の間、開放状態と閉鎖状態とが切り替えられる。本実施形態の場合、通常状態及び時短状態において特図抽選で小当たりとなる小当たり当選確率は１／１００、大当たりとなる大当たり当選確率は通常状態及び時短状態では１／３００、後述する確変状態では１／３０に設定されている。また、大当たり時に所謂確変となる確率は、２／３（６６．６％）に設定されている。主制御回路３０は、特図抽選の結果に応じて、特図表示部１７のＬＥＤを点灯或いは消灯させることにより、特図抽選の結果を表示する。尚、この特図表示部１７による特図抽選の結果は、通常は遊技者には識別し難い態様で表示される。
また、主制御回路３０は、上記したようにパチンコ玉がいずれかの入賞口に入賞すると、副制御回路４０や表示制御回路４１を制御することにより液晶表示装置１３に各種の演出を表示するとともに、払出制御回路４２に対し払出装置４３からのパチンコ玉の払出を指示する。これにより、遊技者にパチンコ玉が払い出しされる。具体的には、パチンコ玉が始動口１４に入賞した場合には３個の玉を払い出し、大入賞口１５に入賞した場合には１３個のパチンコ玉を払い出す。
【００１７】
ここで、パチンコ遊技機２に設けられている遊技状態について説明する。パチンコ遊技機２には、図４に示すように、通常状態、小当たり状態、大当たり状態、時短状態、確変状態の５つの遊技状態が設けられている。これらの遊技状態は、予め定められた条件に従って遷移する。具体的には、パチンコ遊技機２は、例えば、通常状態において小当たり当選した場合には小当たり状態（第１特別遊技状態に相当する）に遷移する。この小当たり状態で１Ｒが終了すると、パチンコ遊技機２は通常状態に遷移する。また、通常状態において大当たり当選した場合には、大当たり状態になる。この大当たり状態で１５Ｒが消化されると、特図抽選の結果に応じて、時短状態又は確変状態のいずれかに遷移する。時短状態又は確変状態において５０回転経過した場合には通常状態に遷移する一方、再び大当たり当選となった場合には大当たり状態に遷移する。この状態で大当たり状態が終了すると、再び時短状態又は確変状態に遷移する。また、時短状態又は確変状態において小当たり当選した場合には小当たり状態に遷移し、その小当たり状態が終了した場合には直前の時短状態又は確変状態に遷移する。例えば時短状態が残り２５回転の状態にて、小当たり当選となり小当たり状態が終了した場合、時短状態が残り２５回転の状態に復帰する。
【００１８】
図５は、パチンコ遊技機２に設定されている大当たりの種類を示している。パチンコ遊技機２には、１５Ｒ確変大当たり、１５Ｒ特別大当たり（第２特別遊技状態に相当する）、１５Ｒ通常大当たりの３種類が設定されている。このうち、１５Ｒ確変大当たりは、ラウンド数が１５Ｒで、大当たりの終了後に上記した確変状態に遷移する大当たりである。この１５Ｒ確変大当たりの場合、後述する特別演出に相当する長期インターバルは無く、出現頻度は１／３、液晶表示装置１３に表示される図柄は奇数図柄（奇数図柄の３列表示）になる。この出現頻度とは、上記したように１／３００の確率で当選する大当たりのうち、１５Ｒ確変大当たりになる割合である。即ち、大当たりに当選すると、１／３の割合で１５Ｒ確変大当たりが発生する。また、１５Ｒ特別大当たりは、ラウンド数が１５Ｒで、長期インターバルが有り、出現頻度は１／３、表示される図柄はチャンス図柄になる。チャンス図柄とは、液晶表示装置１３の３列の表示領域において左側に「３」、中央に「５」、右側に「７」の数字が停止表示された状態（「３  ５  ７」のように表示された状態）である。また、１５Ｒ通常大当たりは、ラウンド数が１５Ｒで、長期インターバルが無く、出現頻度は１／３、表示される図柄は偶数図柄（偶数図柄の３列表示）になる。つまり、本実施形態の場合、大当たり当選時には各大当たり状態が１／３の割合で発生することになる。また、上記したチャンス図柄は、小当たり当選の場合にも液晶表示装置１３に表示される。このため、液晶表示装置１３に「３、５、７」が停止表示されたとしても、その停止表示された時点においては、遊技者は小当たり当選なのか１５Ｒ特別大当たり当選なのかを判断することはできないことになる。
【００１９】
主制御回路３０は、遊技者による遊技の進行に応じて、信号出力部４４（信号出力手段に相当する）から、盤面１２に発射されたパチンコ玉の数であるアウトを特定可能なアウト信号（パルス出力）、遊技者に付与したパチンコ玉の数であるセーフを特定可能なセーフ信号（パルス出力）、始動口１４への入賞に伴って発生する図柄の変動表示の開始（スタート）を特定可能なスタート信号（パルス信号）、大当たりを特定可能な大当たり信号（ハイ、ローのレベル出力）、確変状態を特定可能な確変信号（ハイ、ローのレベル出力）、ラウンド中であることを特定可能なラウンド信号（大入賞口１５の開放中にハイ、ローのレベル出力）などの遊技信号を出力する。
呼出ランプ４は、図示しないＣＰＵを主体とするマイクロコンピュータが設けられたランプ側報知制御回路４ａ（図１参照。報知制御手段に相当する）を備え、パチンコ遊技機２側からのスタート信号がハイレベルとなった場合は、パチンコ遊技機２の図柄変動が開始したと判断し、ローレベルとなった場合は、１回の図柄変動が終了したと認識する。同様に、大当たり信号がハイレベルになった場合には大当たり状態が発生したと認識し、確変信号がハイレベルになった場合には確変状態であると認識する。また、ラウンド信号がハイレベルになった場合にはラウンド中であることを認識するとともに、ラウンド信号がローレベルになった後にハイレベルになることを検知することにより、実行されたラウンド数をカウントする。つまり、ラウンド信号が入力された回数（ラウンド信号がとぎれた回数）をカウントすることにより現在のラウンド数を特定する。
【００２０】
次に、遊技情報表示装置としての呼出ランプ４の作用について説明する。尚、後述する呼出ランプ４が実行する各種制御及び処理は、詳細には上記ランプ側報知制御回路４ａが実行している。
呼出ランプ４は、上記した通常状態では、図６（ａ）に示すように前回の大当たりが終了した時点から消化されたゲーム数であるスタート回数表示部Ｍ１、当日発生した大当たりの累計を示す大当たり回数表示部Ｍ２、大当たり状態の発生確率を示す大たり確率表示部Ｍ３などの遊技データを表示装置６に表示する。図６（ａ）の例では、前回の大当たりから１６２ゲームが消化され、当日の大当たりの発生回数が１０回であり、大当たり確率は１／６０であることが示されている。つまり、第１特別遊技状態に相当する小当たりとは異なる特別遊技状態である大当たりの回数が遊技者に報知されている。また、呼出ランプ４は、大当たり状態が発生した場合には、図６（ｂ）に示すように、その大当たり状態で獲得したパチンコ玉数を示す獲得玉数表示部Ｍ４に獲得媒体数を表示するとともに、大当たり回数や大当たり確率の遊技データを更新して遊技者に報知する特別報知を実行する。この特別報知では、特別遊技状態である大当たりが発生していること及び連荘回数を遊技者に報知する「大当たり中、只今連荘１回目」などのメッセージＭ５を表示する。
【００２１】
通常、呼出ランプ４は、このようにパチンコ遊技機２から出力される遊技信号や管理装置５等から取得するデータに基づいて各種の遊技データの表示を行っている。
さて、パチンコ遊技機２は、上記したように１５Ｒ特別大当たり当選と小当たり当選とでチャンス図柄を液晶表示装置１３に表示する。このため、液晶表示装置１３にチャンス図柄が停止表示されたとしても、遊技者はパチンコ遊技機２の液晶表示装置１３の演出からは小当たりなのか１５Ｒ特別大当たりなのかを判断することはできない。しかし、パチンコ遊技機２は、特図抽選において大当たり当選となった場合には、図７（ａ）に示すように大当たり状態の発生とほぼ同時期に大当たり信号をハイレベル（Ｈ）にする。このため、大当たり信号に基づいて大当たり演出（図６（ｂ）参照）を実行してしまうと、呼出ランプ４の演出を見ることにより１５Ｒ特別大当たりなのか小当たりなのかを判断できてしまう。
【００２２】
そこで、呼出ランプ４は、大当たり表示（図６（ｂ））を開始するタイミングを調整している。
パチンコ遊技機２の主制御回路３０は、図示しないメイン処理を繰り返し実行していると共に、図９に示す大当たり信号出力処理、図１０に示す大入賞口開放処理、図１１に示す大入賞口閉鎖処理を実行している。また、パチンコ遊技機２の表示制御回路４１は、主制御回路３０による処理に応じて、図１２に示す大当たり中表示処理を実行している。以下、説明の簡略化のために、特別遊技状態の種類別、即ち、大当たり当選時と小当たり当選時とに区別して説明する。
＜＜大当たり当選の場合＞＞
パチンコ遊技機２の主制御回路３０は、遊技者により遊技が行われて特図抽選においていずれかの大当たり当選になると、図９に示す大当たり信号出力処理において、大当たり開始タイミングであると判定し（Ａ１：ＹＥＳ）、大当たり信号を出力する（Ａ２）。これにより、図７（ａ）に示すように、大当たり信号がハイレベルになる。パチンコ遊技機２の表示制御回路４１は、大当たり信号が出力されると、まずオープニング演出（ＯＰ）を所定の時間実行（液晶表示装置１３に表示）する。オープニングが終了すると、主制御回路３０は、図１０に示す大入賞口開放処理において、大入賞口開放タイミングになったと判定し（Ｂ１：ＹＥＳ）、ラウンド信号を出力すると共に、大入賞口１５を開放する（Ｂ３）。このように、主制御回路３０は、いずれかの大当たり当選になったとき、大入賞口１５を閉鎖状態から開放状態に切り替えると共に、図７（ａ）に示すように１Ｒ目のラウンド信号を出力する（ハイレベルにする）。
【００２３】
続いて、主制御回路３０は、図１１に示す大入賞口閉鎖処理において、１Ｒ目が始まった直後であることから、ラウンド終了タイミングではないので（Ｃ１：ＮＯ）、リターンする。また、表示制御回路４１は、図１２に示す大当たり中表示処理において、１Ｒ目の終了タイミングではないので（Ｄ１：ＮＯ）、リターンする。この状態では、呼出ランプ４は、図１３に示す大当たり処理において、大当たり信号を受信中であることから（Ｅ１：ＹＥＳ）、２ラウンド開始タイミングであるかを判定し（Ｅ２）、まだ１Ｒ目が始まった直後であることから（Ｅ２：ＮＯ）、リターンする。
このように、呼出ランプ４は、大当たり信号及びラウンド信号が入力されたとしても（ハイレベルになったとしても）、１Ｒ目には大当たり演出（図６（ｂ））の表示を開始しない。
【００２４】
さて、遊技者により遊技が継続されると、パチンコ遊技機２の主制御回路３０は、ラウンド終了条件が成立したかを判定するようになる。具体的には、本実施形態では、大入賞検出器３４で検出したパチンコ玉の数が所定の玉数に達したとき、又は大入賞口１５の開放時間が所定の時間になった場合にラウンド終了条件が成立したと判定する。主制御回路３０は、ラウンド終了条件が成立すると、図１１に示す大入賞口閉鎖処理において、ラウンド終了タイミングになったと判定し（Ｃ１：ＹＥＳ）、ラウンド信号を停止即ちローレベルを出力し（Ｃ２）、大入賞口１５を閉鎖する（Ｃ３）。つまり、特別遊技状態になった場合には、予め定められた態様にて、大入賞口１５の開放状態と閉鎖状態との切り替えが行われる。このように、主制御回路３０は、ラウンド終了時に、大入賞口１５を開放状態から閉鎖状態に切り替えている。
【００２５】
続いて、主制御回路３０は、今回の大当たりが１５Ｒ特別大当たりの１ラウンド目の終了タイミングであるかを判定する（Ｃ４）。例えば今回の大当たりが１５Ｒ確変大当たり又は１５Ｒ通常大当たりである場合には（Ｃ４：ＮＯ）、小当たりではないこと、また、１Ｒを消化した状態なので大当たりの終了タイミングでもないことから（Ｃ６：ＮＯ）、通常インターバル期間を設定する（Ｃ７）。この通常インターバルは、ラウンド間に液晶表示装置１３に表示される演出時間に相当し、本実施形態では２秒に設定されている。この場合、パチンコ遊技機２の表示制御回路４１は、図１２に示す大当たり中表示処理において、１Ｒ目終了タイミングになったものの（Ｄ１：ＹＥＳ）、１５Ｒ特別大当たりではなく（Ｄ２：ＮＯ）、小当たりでもないことから（Ｄ５：ＮＯ）、リターンする。
【００２６】
これに対して、主制御回路３０は、今回の大当たり状態が１５Ｒ特別大当たりの１ラウンド目の終了タイミングである場合には（Ｃ４：ＹＥＳ）、長期インターバル期間を設定する（Ｃ５）。この長期インターバルは、ラウンド間に液晶表示装置１３に表示される演出時間に相当し、図８（ａ）に示す共通の特別演出（共通演出に相当する。表示期間は６秒）と、図８（ｂ）に示す大当たり用の特別演出（表示期間は２秒）とが実行される。つまり、表示制御装置４１は、図１２に示す大当たり中表示処理において、図７（ａ）に示す１５Ｒ特別大当たりの１Ｒ目の終了後の特別演出では（Ｄ１：ＹＥＳ、Ｄ２：ＹＥＳ）、６秒の共通の特別演出を実行した後（Ｄ３）、大当たり用の特別演出を実行する（Ｄ４）。このうち、図８（ａ）に示す共通の特別演出では、爆弾絵柄Ｍ６と、遊技者に演出ボタン２４の操作を促す「ボタン連打！！」のメッセージＭ７とが表示され、遊技者により演出ボタン２４が操作されると、徐々に導火線が短くなる演出が行われる。
【００２７】
この共通演出は、ミッション（爆弾の爆破）が成功すると、ジャンプアップボーナスとして１５Ｒの遊技が可能になるという演出である。そして、ミッションに成功した場合には、図８（ｂ）に示す大当たり用の特別演出において、爆弾が爆発したこと示す爆発絵柄Ｍ８、及び「成功  大当たり〜！！」のメッセージＭ９が表示される。このように、１５Ｒ特別大当たり当選時には、演出により遊技者に１５Ｒ特別大当たりであることが報知される（報知動作が実行される）。つまり、１５Ｒ特別大当たりの場合には、この時点で初めて１５Ｒ特別大当たりであったことを遊技者が認識できる。尚、このインターバル期間即ち１Ｒ目が終了した後に次のラウンドを開始させるまでの期間に亘って大入賞口１５は閉鎖状態に維持される。
尚、１５Ｒ確変大当たり又は１５Ｒ通常大当たりの場合、大当たりの種類を表示図柄が偶数か奇数かによって遊技者が判定できる（図５参照）。即ち、大当たりとなったことと、１５Ｒ特別大当たり及び小当たりのいずれでもないことを、表示図柄から遊技者が特定できる。このため、１５Ｒ確変大当たり又は１５Ｒ通常大当たりの場合、特別演出を実行する必要がないため、１Ｒ目が終了した際に、長期インターバルではなく通常インターバルを設定する。また、通常インターバルの場合、２秒間の演出がパチンコ遊技機２の表示制御回路４１によって液晶表示装置１３に表示される。
【００２８】
さて、１Ｒ目が終了し、上記した短期インターバル又は長期インターバルが経過すると、主制御回路３０は、再び図１０に示す大入賞口開放処理において、２Ｒ目に突入したこと即ち大入賞口開放タイミングであることから（Ｂ１：ＹＥＳ）、２Ｒ目のラウンド信号を出力（ラウンド信号をハイレベル）にし（Ｂ２）、大入賞口１５を開放する（Ｂ３）。このとき、呼出ランプ４は、図１３に示す大当たり処理において、大当たり信号を受信中であり（Ｅ１：ＹＥＳ）、２Ｒ目の開始タイミングであることから（Ｅ２：ＹＥＳ）、大当たり用の演出（図６（ｂ））を開始する（Ｅ３）。つまり、呼出ランプ４は、いずれかの大当たりに当選した場合には、２Ｒ目から大当たり演出の表示を開始する。換言すれば、呼出ランプ４は、大当たりの開始タイミングから１Ｒ目が終了するまでに又は大当たりの開始タイミングから特別演出が終了するまでに大当たり信号を入力しているとしても、特別演出が終了するまで大当たり演出の表示を開始させるタイミングを遅延している。
【００２９】
その後、遊技者によりさらに遊技が継続されると、パチンコ遊技機２の主制御回路３０及び表示制御回路４１は、上記した大当たり信号出力処理、大入賞口開放処理及び大入賞口閉鎖処理を繰り返し実行する。そして、１５Ｒが消化されると、図１１に示す大入賞口閉鎖処理において、ラウンド終了タイミングであることから（Ｃ１：ＹＥＳ）、ラウンド信号を停止し（Ｃ２）、大入賞口１５を閉鎖し（Ｃ３）、１５Ｒ目の終了即ち大当たりの終了タイミングであるので（Ｃ４：ＮＯ、Ｃ６：ＹＥＳ）、リターンする。その後、表示制御回路４１は、エンディング期間に亘ってエンディング（ＥＮ）を表示する。このエンディングが終了すると、主制御回路３０は、図９に示す大当たり信号出力処理において、大当たりの終了タイミングであると判定し（Ａ１：ＮＯ、Ａ３：ＹＥＳ）、大当たり信号を停止する（Ａ４）。このエンディングが終了すると、呼出ランプ４は、図１３に示す大当たり処理において、大当たり信号を受信しなくなったことから（Ｅ１：ＮＯ）、実行中の大当たり用の演出を終了し（Ｅ４：ＹＥＳ、Ｅ５）、リターンする。
【００３０】
このように、呼出ランプ４は、大当たり状態が発生した場合、２Ｒ目が開始されるタイミングで大当たり用の演出（図６（ｂ））の表示を開始する。換言すると、例えば１５Ｒ特別大当たりが当選した場合、図７（ｂ）に示すように、特別演出が終了するまでは大当たり表示を開始しない。このため、少なくとも大当たり用の特別演出（図８（ｂ））がパチンコ遊技機２の液晶表示装置１３に表示されるまでは、遊技者は、呼出ランプ４の表示からは発生した特別遊技状態が１５Ｒ特別大当たりであることを判断することはできなくなる。尚、２Ｒ目以降は長期インターバルの設定の判定が行われず、短期インターバルの設定のみが行われる。即ち、１５Ｒ特別大当たりの場合には、１Ｒ目に長期インターバルを挟んだ大入賞口１５の切替制御（共通態様による切替制御）が行われた後、２Ｒ目以降は短期インターバルを挟んだ大入賞口１５の切替制御（特別態様による切替制御）が行われる。つまり、呼出ランプ４は、大当たり当選時には、大当たり信号及びラウンド信号に基づいて、大当たり当選時における大当たり演出（図６（ｂ））の表示を開始するタイミングを調整している。
【００３１】
＜＜小当たり当選の場合＞＞
パチンコ遊技機２の主制御回路３０は、特図抽選において小当たり当選の場合には、図９に示す大当たり信号出力処理において、大当たり開始タイミングではなく（Ａ１：ＮＯ）、大当たり終了タイミングでもないことから（Ａ３：ＮＯ）、リターンする。この場合、呼出ランプ４は、大当たり信号を受信しておらず（Ｅ１：ＮＯ）、大当たり用の演出も実行していないことから（Ｅ４：ＮＯ）、リターンする。つまり、小当たり当選の場合には、図７（ｃ）に示すように、大当たり信号は出力されない（ローレベルのまま）であることから、当然のことながら大当たり表示は開始されない。ただし、上記したように小当たり当選時にも大入賞口１５は開放される。そのため、主制御回路３０は、図１０に示す大入賞口開放処理において、オープニング（ＯＰ）が終了した時点で大入賞口１５の開放タイミングになったと判定し（Ｂ１：ＹＥＳ）、ラウンド信号を出力した後（Ｂ２）、大入賞口１５を開放する（Ｂ３）。この時点では、大入賞口１５は開放されたものの、呼出ランプ４では大当たり表示が開始されないことから、遊技者はこの大入賞口１５の開放がどの特別遊技状態の発生に基づくものであるかを判断することはできない。
【００３２】
この状態で遊技者により遊技が継続され１Ｒ目のラウンド終了条件が成立すると、主制御回路３０は、図１１に示す大入賞口閉鎖処理において、１Ｒ目の終了タイミングになったことから（Ｃ１：ＹＥＳ）、ラウンド信号を停止し（Ｃ２）、大入賞口１５を閉鎖し（Ｃ３）、小当たりの終了タイミングであることから（Ｃ４：ＮＯ、Ｃ６：ＹＥＳ）、リターンする。続いて、図１２に示す大当たり中表示処理において、１Ｒ目の終了タイミングであり（Ｄ１：ＹＥＳ）、小当たりであることから（Ｄ２：ＮＯ、Ｄ５：ＹＥＳ）、共通の特別演出を実行した後（Ｄ６）、小当たり用の特別演出を実行する（Ｄ７）。即ち、小当たりにおいては、小当たりを終了する場合のエンディングにて、特別演出を実行する。この場合、パチンコ遊技機２の液晶表示装置１３には、図８（ａ）に示す共通の特別演出が表示された後、図８（ｃ）に示す小当たり用の特別演出が表示される。図８（ｃ）に示す小当たり用の特別演出では、導火線の火が消えて不発であったことを示す不発絵柄Ｍ１０、及び「残念  失敗・・・」のメッセージＭ１１が表示され、小当たりであったことが遊技者に報知される。つまり、この時点で初めて小当たりであったことを遊技者が認識する。尚、このエンディング期間においては、大入賞口１５は閉鎖状態に維持されている。つまり、小当たり当選の場合、共通態様での大入賞口１５の切替制御が終了すると、特別態様での大入賞口１５の切替制御が行われない。
【００３３】
ここで、上記の小当たり用の特別演出は、表示時間が２秒である。つまり、小当たり当選時のエンディング（ＥＮ）と１５Ｒ特別大当たりの特別演出とは、その合計時間が同じ８秒に設定されている（図７（ｂ）及び（ｃ）参照）。換言すると、小当たり当選時には、１５Ｒ特別大当たり当選時と同様に１Ｒ分の大入賞口１５の開放状態と閉鎖状態との切り替えが実行されるとともに、１Ｒの終了時には同じ時間のインターバルが設定される。即ち、共通態様とは、ラウンド数と、次のラウンドが始まるまで又はＥＮが終了するまでのインターバル期間が同じ態様であることに相当し、本実施形態の場合、小当たり当選時及び１５Ｒ特別大当たり当選時において共に１Ｒに設定されている。
このように、呼出ランプ４は、小当たり当選時には、１Ｒ目が終了するまでは１５Ｒ特別大当たりと同様の態様で大入賞口１５の開放状態と閉鎖状態との切替制御が行われるものの、大当たりであるか否かの遊技者への報知を行わない。このため、１Ｒ目が終了し、少なくとも小当たり時の特別演出（図８（ｃ））が表示されるまでは、遊技者が発生した特別遊技状態が小当たりであるのか１５Ｒ特別大当たりであるのかを判断することはできなくなる。
【００３４】
以上説明した本実施形態の呼出ランプ４によれば、次のような効果を奏する。
大当たり当選となった場合であっても、１Ｒ目が開始された時点では大当たり演出を行わず、２Ｒ目が開始された後に大当たり演出を行っている。つまり、小当たり当選時には遊技者への報知を開始せず、１５Ｒ特別大当たり当選時には共通態様にて大入賞口１５の切替制御が行われ、共通演出が実行された後に遊技者への報知を開始している。これにより、１Ｒ目の大入賞口１５の開放が始まった時点では、小当たり当選であるのか１５Ｒ特別大当たり当選であるのかが遊技者に特定されることがない。即ち、共通演出が実行されている場合や共通態様にて大入賞口１５の開閉が行われている期間（１Ｒ中、及びその後の特別演出期間）において、発生した特別遊技状態の種類を遊技者に早期に特定されてしまうことを防止でき、特別遊技状態に関する表示を良好に実行することができる。
１５Ｒ特別大当たり時には、大当たり信号が入力され、かつ、共通態様である１Ｒ分の大入賞口１５の切替制御の後に共通演出が実行された後に大当たりであるか否かを遊技者に報知するので、１５Ｒ特別遊技状態の発生を確実に特定することができ、誤った報知動作が行われることを防止できる。
【００３５】
（その他の実施形態）
本発明は、上記した一実施形態に限定されることなく、次のように変形または拡張することができる。
一実施形態ではインターバル期間にて特別演出を実行するようにしたが、ラウンド中に特別演出を実行するようにしてもよい。この場合においても、特別演出実行の後に、呼出ランプ４にて大当たり用の演出を実行するようにすればよい。
一実施形態ではラウンド信号を受信することで大当たり演出を開始するタイミングを決定する構成としたが、これに限定されるものではない。大入賞口１５の閉鎖状態を検出したり、特別演出の実行を検出する検出手段を設けることにより大当たり演出を開始するタイミングを決定するようにしてもよい。さらには、１ラウンドの時間が短い等、特別演出の実行タイミングがほぼ一定である遊技機に適用する場合には、大当たり信号を受信してから所定時間が経過した場合に大当たり演出を開始するようにしてもよい。
大当たり信号から大当たりの種類を特定可能としてもよい。本構成においては、パチンコ遊技機２から大当たりの種別を特定可能な信号が出力される。この場合、１５Ｒ確変大当たり及び１５Ｒ通常大当たりにおいては、大当たり信号を受信したタイミングで大当たり演出を呼出ランプ４にて開始するようにしてもよい。
【００３６】
また、発生した大当たりの種別を呼出ランプ４にて特定可能な場合、１５Ｒ特別大当たりとは異なる大当たりにおいては、１Ｒ目から大当たり用の演出を開始するようにしてもよい。例えばパチンコ遊技機２から各大当たりを特定可能な信号が出力される場合などがこれに相当する。
特別演出の内容は、一実施形態で例示した図８（ａ）〜（ｃ）に限定されず、任意に変更してもよい。また、 大当たり演出の内容（図６（ｂ））も任意に変更してもよい。
共通の特別演出（図６（ａ））は、まったく同じ演出である必要はなく、小当たりか大当たりかを遊技者に混同させることが可能であれば類似しているのみでよい。
１ラウンドで大入賞口１５が複数回開閉するようにしてもよい。この場合、大入賞口１５の開閉回数から遊技者がラウンドの消化を特定しにくくなる効果を得ることができる。そのような構成においては、ラウンド数は同じであるが、大入賞口１５の開閉態様によって遊技者に付与される（遊技者が獲得する）パチンコ玉の数の期待度を異ならせることも可能である。
【００３７】
小当たりは１ラウンドに限定されるものではない。例えば、小当たりが２ラウンドに設定されていてもよい。即ち、本発明の第１特別遊技状態及び第２特別遊技状態は、相対的に有利な状態及び不利な状態が発生するとともに、大入賞口１５の開閉態様の一部が類似している特別遊技状態を含む概念である。この場合、ラウンド数の概念がなくともよい。つまり、大入賞口１５にて所定の開閉態様を実行した場合に大当たりや小当たりが終了するようにしてもよい。また、小当たりが発生した場合、大入賞口１５の開放時間が短く、実質的に大入賞口１５に玉が入賞しない又はしにくいようにしてもよい。この場合、１５Ｒ特別大当たりにおける大入賞口１５の開閉態様を小当たりと類似させておけばよい。このような構成であっても、一実施形態のように共通演出が実行された後に遊技者に報知を行うようにすれば、いずれの特別遊技状態が発生したのかを早期に遊技者に特定されてしまうことを防止することができる。
【００３８】
一実施形態では共通演出の終了後のラウンド開始時に大当たり表示を開始したが、少なくとも共通演出（図８（ａ））の実行後、即ち、パチンコ遊技機２側において何れの特別遊技状態であるかが判断できた時点以降に大当たり表示を開始する構成であればよい。
パチンコ遊技機２に設けられている演出実行手段は、液晶表示装置１３に限定されない。例えば、スピーカ２３から出力される音や、液晶表示装置１３に表示される図柄の動き、盤面１２などに設けられるいわゆる役物や表示器などで演出を実行する構成としてもよい。また、呼出ランプ４に設けられている報知手段としては、表示装置６に限定されない。呼出ランプ４においても、音や光、役物などを設ける構成としてもよい。
大当たりの種類は、一実施形態に限定されず、例えば５Ｒ大当たりや１０Ｒ大当たりなどを設けてもよい。勿論、本発明の第１特別遊技状態及び第２特別遊技状態は、一実施形態の小当たりや１５Ｒ特別大当たりにのみに限定されるものでもない。
複数の大入賞口１５が設けられている構成としてもよい。このような構成においては、１５Ｒ特別大当たりにおいて、特別演出を実行した後に、大入賞口１５を開放するようにしてもよい。
演出実行手段である表示制御回路４１を主制御回路３０と別体に設けたが、主制御回路３０と共用してもよい。
ラウンド終了条件は、一実施形態に例示した条件に限定されず、任意の条件を設定すればよい。
【符号の説明】
【００３９】
図面中、２はパチンコ遊技機、４は呼出ランプ、４ａはランプ側報知制御回路（報知制御手段）、６は表示装置（報知手段）、１３は液晶表示装置（演出実行手段）、１４は始動口（入賞部）、１５は大入賞口（特別入賞部）、３０は主制御回路（抽選手段、状態発生手段、付与手段、切替制御手段、状態終了手段）、４４は信号出力部（信号出力手段）を示す。
【図１】
0005670706.tif 000002
【図２】
0005670706.tif 000003
【図３】
0005670706.tif 000004
【図４】
0005670706.tif 000005
【図５】
0005670706.tif 000006
【図６】
0005670706.tif 000007
【図７】
0005670706.tif 000008
【図８】
0005670706.tif 000009
【図９】
0005670706.tif 000010
【図１０】
0005670706.tif 000011
【図１１】
0005670706.tif 000012
【図１２】
0005670706.tif 000013
【図１３】
0005670706.tif 000014